(57)【要約】【課題】装着感や視野に優れ、丈夫な液晶シャッタ眼鏡を提供する。【解決手段】液晶シャッタ眼鏡１は、頭に装着するためのフレームＦと、フレームＦに支持された、液晶パネル５２Ｒ，５２Ｌを含む左右のレンズ５０Ｒ，５０Ｌと、液晶パネル５２Ｒ，５２Ｌを透過状態または透過制限状態に切換制御する制御装置３０とを備える。レンズ５０Ｒ，５０Ｌは、レンズ本体と、当該レンズ本体に貼り付けられた可撓性の液晶パネル５２Ｒ，５２Ｌとを有してなり、レンズ本体の液晶パネルが貼り付けられた貼着面は、略上下方向から見て前側に凸となる曲面であって平面を湾曲させてなる曲面からなる。【選択図】図１
2014203067.tif 000002
【特許請求の範囲】
【請求項１】
頭に装着するためのフレームと、
前記フレームに支持された、液晶パネルを含む左右のレンズと、
前記液晶パネルを透過状態または透過制限状態に切換制御する制御装置とを備え、
前記レンズは、レンズ本体と、当該レンズ本体に貼り付けられた可撓性の前記液晶パネルとを有してなり、前記レンズ本体の前記液晶パネルが貼り付けられた貼着面は、略上下方向から見て前側に凸となる曲面であって平面を湾曲させてなる曲面からなることを特徴とする液晶シャッタ眼鏡。
【請求項２】
前記レンズは、液晶パネルが前記レンズ本体の後側に設けられていることを特徴とする請求項１に記載の液晶シャッタ眼鏡。
【請求項３】
前記液晶パネルは、前記レンズ本体よりも薄いことを特徴とする請求項１または請求項２に記載の液晶シャッタ眼鏡。
【請求項４】
前記貼着面は、全面に渡って一定の曲率を有することを特徴とする請求項１から請求項３のいずれか１項に記載の液晶シャッタ眼鏡。
【請求項５】
前記液晶パネルは、前記左右のレンズの左右方向内側の端部に電極が設けられ、当該電極は、前記フレームのブリッジ内に配置されていることを特徴とする請求項１から請求項４のいずれか１項に記載の液晶シャッタ眼鏡。
【請求項６】
前記レンズ本体は、光を吸収するように構成されていることを特徴とする請求項１から請求項５のいずれか１項に記載の液晶シャッタ眼鏡。
【請求項７】
明るさを取得して前記制御装置に出力するセンサをさらに備え、
前記制御装置は、前記センサから取得された明るさが明るいほど、透過状態の時間的割合が小さくなるように前記液晶パネルを制御する明るさ調整部を有することを特徴とする請求項１から請求項６のいずれか１項に記載の液晶シャッタ眼鏡。
【発明の詳細な説明】
【技術分野】
【０００１】
本発明は、液晶シャッタ眼鏡に関する。
【背景技術】
【０００２】
一般に、多くのスポーツにおいては、動く対象物を見て機敏に反応する能力が必要とされ、運動選手のこの能力を発達させるためのトレーニング手法が種々研究されている。例えば、従来から、暗室でストロボ光を明滅させ、移動する対象物を間歇的に照らして、この対象物に対し反応するトレーニング方法が知られている。この方法によれば、運動選手は移動する対象物が本来の速度よりも遅く見え、その結果一層敏速な反射運動で反応するよう要求される。
【０００３】
このようなトレーニング手法は、トレーニングをするための広い暗室が必要であり、場所が制限されるという問題があった。
そのため、これまで特許文献１，２に開示されたように、眼鏡型のフレームに液晶レンズを設け、このレンズを透明状態と不透明状態との間を所定周波数で切り替えることで、前記した暗室におけるトレーニングと同様の状態を作り出す液晶シャッタ眼鏡（動的視力訓練装置）が知られている。
【０００４】
これらの装置は、スポーツのトレーニングに利用できるだけでなく、原理的には連続ストロボフラッシュの代わりとして、エンジンや産業機械などの回転物の動作チェック、その他移動物体の観察に利用することができ、利用範囲は非常に広いものである。
【先行技術文献】
【特許文献】
【０００５】
【特許文献１】特表平９−５１０３７１号公報
【特許文献２】特開２０１０−２１１１７７号公報
【発明の概要】
【発明が解決しようとする課題】
【０００６】
ところで、これらの眼鏡を特にスポーツのトレーニングに使用する場合には、軽快な装着感や良好な視野、さらには、丈夫さなども望まれる。
しかし、従来の液晶シャッタ眼鏡は、ガラス基板を用いた液晶が採用されていることから、レンズを平面形状にしかできず、デザイン上の制限が大きかった。そのため、軽快な装着感や良好な視野を得られず、スポーツのトレーニングに集中しにくいという問題があった。また、ガラスの場合は、割れる可能性もあった。
【０００７】
本発明は、以上のような背景に鑑みてなされたものであり、装着感や視野に優れ、丈夫な液晶シャッタ眼鏡を提供することを目的とする。
【課題を解決するための手段】
【０００８】
前記した課題を解決する本発明は、頭に装着するためのフレームと、前記フレームに支持された、液晶パネルを含む左右のレンズと、前記液晶パネルを透過状態または透過制限状態に切換制御する制御装置とを備えた液晶シャッタ眼鏡である。この液晶シャッタ眼鏡において、前記レンズは、レンズ本体と、当該レンズ本体に貼り付けられた可撓性の前記液晶パネルとを有してなり、前記レンズ本体の前記液晶パネルが貼り付けられた貼着面は、略上下方向から見て前側に凸となる曲面であって平面を湾曲させてなる曲面からなることを特徴とする。
【０００９】
このような液晶シャッタ眼鏡によれば、フラットな液晶パネルを撓ませてレンズ本体の貼着面に貼ることで、湾曲したレンズの液晶シャッタ眼鏡を製造することができる。そして、貼着面は、略上下方向から見て前側に凸となる曲面であって平面を湾曲させてなる曲面からなるので、フラットな液晶パネルを浮くことなくぴったりと貼り付けることができる。なお、本明細書においては、平面を湾曲させてなる曲面を、平面を変形させて成立させることができない三次元曲面に対する用語として、便宜上、「二次元曲面」と呼ぶこととする。
【００１０】
そして、上記の構成の液晶シャッタ眼鏡は、貼着面は、略上下方向から見て前側に凸となる曲面であるので頭の形状にフィットする。そして、レンズに対して垂直に近い角度で入った光を目に導くことができるので、歪みの少ない良好な視野を得ることができる。また、液晶パネルをレンズ本体に貼り付けて構成されているので、液晶パネルだけで構成されている場合に比較して丈夫であり、さらに、液晶パネルが可撓性を有することから、運動時に液晶シャッタ眼鏡を落としたり、ボールが当たったりして衝撃が加わっても液晶パネルが割れにくい。すなわち、スポーツのトレーニングに適した丈夫な液晶シャッタ眼鏡とすることができる。
【００１１】
前記した液晶シャッタ眼鏡において、前記レンズは、液晶パネルが前記レンズ本体の後側に設けられていることが望ましい。
【００１２】
このような構成によれば、液晶パネルの前側、つまり、外側にレンズ本体が位置するので、液晶パネルをレンズ本体で保護することができる。
【００１３】
前記した液晶シャッタ眼鏡において、前記液晶パネルは、前記レンズ本体よりも薄い構成とすることができる。
【００１４】
このような構成によれば、液晶パネルのスプリングバック力によるレンズの歪みを小さくすることができる。
【００１５】
前記した液晶シャッタ眼鏡において、前記貼着面は、全面に渡って一定の曲率を有することができる。
【００１６】
このような構成によれば、液晶パネルを曲げたことにより発生するスプリングバック力の分布を均一にして、レンズ本体に局部的に力が掛かることによるレンズの歪みを抑制し、また、液晶パネルの剥がれを抑制することができる。
【００１７】
前記した液晶シャッタ眼鏡において、前記液晶パネルは、前記左右のレンズの左右方向内側の端部に電極が設けられ、当該電極は、前記フレームのブリッジ内に配置されていることが望ましい。
【００１８】
このような構成によれば、レンズの周囲を保持するリムに電極を収容する必要が無く、リムを薄くしてデザイン性を向上するとともに、広い視野を確保することができる。
【００１９】
前記した液晶シャッタ眼鏡において、前記レンズ本体は、光を吸収するように構成されていることができる。すなわち、いわゆるサングラスのレンズをレンズ本体として採用することで、サングラスとして使用することができる。
【００２０】
前記した液晶シャッタ眼鏡においては、明るさを取得して前記制御装置に出力するセンサをさらに備え、前記制御装置は、前記センサから取得された明るさが明るいほど、透過状態の時間的割合が小さくなるように前記液晶パネルを制御する明るさ調整部を有することが望ましい。
【００２１】
このような構成によれば、明るい屋外に出た場合など、周囲が明るい場合には、明るさ調整部が、透過状態の時間的割合が小さくなるように液晶パネルを制御するので、レンズを透過する光が抑えられ、見易さを向上することができる。特に、使用者は、明るさが異なるところで使用しても、特に設定を変更しなくてすむので、操作の手間を省略することができる。
【発明の効果】
【００２２】
本発明の液晶シャッタ眼鏡によれば、装着感が良好となり、視野が優れ、また、スポーツに適した丈夫なものとすることができる。
【図面の簡単な説明】
【００２３】
【図１】液晶シャッタ眼鏡を前方から見た外観斜視図である。
【図２】前フレームと後フレームを外して後から見た図である。
【図３】レンズを上から見た図（ａ）と、後から見た図（ｂ）と、（ａ）の部分拡大図（ｃ）である。
【図４】液晶パネルを貼り付ける前のレンズと液晶パネルである。
【図５】液晶パネルの配線を説明する、液晶シャッタ眼鏡を後から見た図（ａ）と、その配線のブロック図である。
【図６】制御装置の電気的構成を示すブロック図である。
【発明を実施するための形態】
【００２４】
以下、図面を参照しながら、本発明の一実施形態について説明する。
図１に示すように、一実施形態に係る液晶シャッタ眼鏡１は、頭部に装着するためのフレームＦと、レンズ５０（５０Ｒ，５０Ｌ）と制御装置３０とを備えて構成されている。なお、以下の説明において、前後、左右、上下は、液晶シャッタ眼鏡１を装着する人の前後、左右、上下に従うものとする。
【００２５】
フレームＦは、レンズ５０を保持するフレーム本体１０と、左のつる２０Ｌと、右のつる２０Ｒとを備えて構成されている。フレーム本体１０は、左のレンズ５０Ｌを保持するリム１１Ｌと、右のレンズ５０Ｒを保持するリム１１Ｒと、左のリム１１Ｌと右のリム１１Ｒをつなぐブリッジ１２と有してなる。本実施形態のフレームＦにおいては、リム１１Ｌ，１１Ｒおよびブリッジ１２は、樹脂により一体成形されてなる。より具体的に、フレーム本体１０は、図２に示すように、前フレーム１０Ｆと後フレーム１０Ｒとからなり、前フレーム１０Ｆに後フレーム１０Ｒを図示しない小ねじで締結することで、前フレーム１０Ｆと後フレーム１０Ｒの間でレンズ５０Ｒ，５０Ｌを挟んで保持している。なお、パッド１３は、後フレーム１０Ｒに取り付けられている。前フレーム１０Ｆと後フレーム１０Ｒの間には、後述する配線コード３３Ａ〜３３Ｃを収納できる空間が形成されている。
【００２６】
図１に示すように、左のつる２０Ｌは、人が装着したときにこめかみに対向する部分に、制御基板３１Ａが収容された箱状の基板収納部３１が設けられている。基板収納部３１は、図示しない小ねじにより開閉可能なカバー１５Ｌが設けられている。基板収納部３１には、左右方向の外側に開口１５Ｐが形成され、内部の制御基板３１Ａに接続された表示部３８を視認することができるようになっている。基板収納部３１には、制御基板３１Ａに接続された操作部としてのスイッチ３５Ｂ〜３５Ｅが外部に露出して設けられている。また、制御基板３１Ａには、周囲の明るさを取得して制御基板３１Ａに出力するセンサ３５Ｆが設けられている。基板収納部３１のセンサ３５Ｆに対向する部分は、透明な窓を設けてもよいし、基板収納部３１が光透過性のいわゆるスケルトンの素材から作られている場合には、窓を設けなくてもよい。
【００２７】
右のつる２０Ｒは、基板収納部３１と左右対称な位置に、バッテリ３２Ａが収容された箱状のバッテリ部３２が設けられている。バッテリ部３２には、図示しない小ねじにより開閉可能なカバー１５Ｒが設けられている。また、バッテリ部３２には、制御基板３１Ａの電源供給のＯＮ／ＯＦＦを切り替えるメインスイッチ３５Ａが下方に突出して設けられている。
【００２８】
レンズ５０は、非通電時において光の透過率が高い透過状態となり、通電時に光の透過率が低い透過制限状態となるＴＮ型の液晶パネル５２Ｒ，５２Ｌを含んで構成されている。レンズ５０は、図３（ａ），（ｂ）に示すように、上下方向から見て前側に凸となるように湾曲している。透過状態と透過制限状態における可視光の透過率は、使用目的、使用場所などに応じて適宜設定することができる。
【００２９】
レンズ５０は、レンズ本体５１Ｒ，５１Ｌと、レンズ本体５１Ｒ，５１Ｌの後側の面にそれぞれ貼り付けられた液晶パネル５２Ｒ，５２Ｌとからなる。図３（ｂ）に示すようにレンズ本体５１Ｒ，５１Ｌと液晶パネル５２Ｒ，５２Ｌとは、正面（前後方向）から見てほぼ同じ輪郭を有している。液晶パネル５２Ｒ，５２Ｌは、左右方向の内側の端部がレンズ本体５１Ｒ，５１Ｌから突出し、その突出した部分に電極５９Ｒ，５９Ｌが設けられている。
【００３０】
レンズ本体５１Ｒ，５１Ｌは、ポリカーボネートなどの樹脂またはガラスなどからなり、それ自体、いわゆる度が付いたレンズでもよいし、度が入っていないレンズであってもよい。また、レンズ本体５１Ｒ，５１Ｌを、光を吸収する、例えば、３０％以上吸収するように構成してあれば、液晶シャッタ眼鏡１を、サングラスとして使用することができる。
【００３１】
液晶パネル５２Ｒ，５２Ｌは、図３（ｃ）に示すように、複数の層からなり、液晶を間に保持したＰＶＡ（ポリビニルアルコール）層５５，５６と、ＰＶＡ層５５，５６の外側に設けられたＴＡＣ（トリアセチルセルロール）層５３，５４を有している。これらの複数の層を合わせても、液晶パネル５２Ｒ，５２Ｌの厚さはレンズ本体５１Ｒ，５１Ｌよりも薄く、高い柔軟性、すなわち可撓性を有している。
【００３２】
図４に示すように、液晶パネル５２Ｒ，５２Ｌは、レンズ本体５１Ｒ，５１Ｌに貼り付けられる前はフラット形状である。このフラットな液晶パネル５２Ｒ，５２Ｌを前側に凸となるように湾曲させた上でレンズ本体５１Ｒ，５１Ｌの後側（内側）の貼着面５１Ｊに接着剤により貼り付けてレンズ５０が作られている。ここで、レンズ本体５１Ｒ，５１Ｌは、液晶パネル５２Ｒ，５２Ｌよりも剛性がずっと高いので液晶パネル５２Ｒ，５２Ｌのスプリングバック力による歪みは僅かに抑えられている。なお、接着剤としては、レンズ本体５１Ｒ，５１Ｌと液晶パネル５２Ｒ，５２Ｌの材質に応じて、適宜なものを選択することができる。
【００３３】
貼着面５１Ｊは、上下方向に沿って切った断面では、湾曲していないが、上下方向から見て前側に凸となるように湾曲した、平面を湾曲させてなる曲面（二次元曲面）からなる。このため、貼り付け前にフラットな液晶パネル５２Ｒ，５２Ｌを、浮くことなくぴったりと貼り付けることができる。なお、ここでの上下方向は、厳密なものではなく、貼着面５１Ｊは、およそ上下方向からみて湾曲していればよく、曲率の中心軸も左右のレンズ５０Ｒ，５０Ｌで平行でなくても構わない。すなわち、レンズ５０Ｒ，５０Ｌが上下方向から見て湾曲していることで、レンズ５０Ｒ，５０Ｌが上から見て頭部の形状に沿う傾向にあればよい。
貼着面５１Ｊの湾曲は、レンズ５０の全面に渡って一定の曲率、すなわち、一定の曲率半径である。そのため、液晶パネル５２Ｒ，５２Ｌを貼り付けたときに、液晶パネル５２Ｒ，５２Ｌからの反力を均一な分布で受けることができる。
【００３４】
図５（ａ）に示すように、液晶パネル５２Ｒ，５２Ｌの電極５９Ｒ，５９Ｌは、フレーム本体１０のブリッジ１２に設けられた空間内に収容されている。なお、図５（ａ）においては、カバー１５Ｒ，１５Ｌおよび後フレーム１０Ｒは外してある。そして、図５（ｂ）に示すように、各電極５９Ｒ，５９Ｌから配線コード３３Ｂ，３３Ｃが引き出され、これらの配線コード３３Ｂ，３３Ｃは、左のリム１１Ｌの上側の部分の中を通って、左のつる２０Ｌ内の制御基板３１Ａにそれぞれ接続されている。また、制御基板３１Ａとバッテリ３２Ａとは、配線コード３３Ａにより接続されている。具体的には、図５（ａ）に示すように、配線コード３３Ａは、制御基板３１Ａから引き出され、左のつる２０Ｌから左のリム１１Ｌの上の部分、ブリッジ１２、右のリム１１Ｒの上の部分を順に通り、右のつる２０Ｒに入ってバッテリ３２Ａの図示しない端子に接続されている。
【００３５】
図６に示すように、制御装置３０は、液晶パネル５２Ｒ，５２Ｌを透過状態または透過制限状態に切換制御する装置であり、バッテリ３２Ａと、このバッテリ３２Ａとメインスイッチ３５Ａを介して接続された制御基板３１Ａにより構成されている。
制御基板３１Ａは、パルス発生器３６ａ、周波数制御装置３６ｂ、パルス幅制御装置３６ｃ、設定選択部３６ｄ、ＬＣＤドライバ３６ｅ，３６ｆ、明るさ調整部３６ｇおよび設定記憶部３９を有する。
【００３６】
設定記憶部３９には、プリセットされた設定名と、パルスのデューティ比（液晶パネル５２Ｒ，５２Ｌを透過制限状態にする時間的割合）および周波数の関係が記憶されている。例えば、Ｆ０１の設定名に対しては、デューティ比が５０％などと記憶されている。デューティ比は、例えば、５％刻みで５０〜９５％まで設定されている。同様に、００５の設定名に対しては、周波数が２Ｈｚなどと記憶されている。周波数は、例えば、２〜５００Ｈｚの範囲で適宜なステップで設定されている。また、設定記憶部３９には、作動中にスリープスイッチ３５Ｂが押された場合に、現在選択されている設定名が記憶される。
【００３７】
設定選択部３６ｄは、スリープスイッチ３５Ｂ、ダウンスイッチ３５Ｄ、アップスイッチ３５Ｃおよびモードスイッチ３５Ｅが接続されている。モードスイッチ３５Ｅは、デューティ比の変更をするデューティ変更モードと周波数の変更をする周波数変更モードと、明るさを自動で調整するか否かを設定する自動調整設定モードとを押される度に切り換えるスイッチである。デューティ変更モードでは、ダウンスイッチ３５Ｄ、アップスイッチ３５Ｃの操作により、それぞれ降順および昇順で設定記憶部３９から設定名およびそれに対応するデューティ比が読み出される。モードスイッチ３５Ｅを押して周波数変更モードにすると、ダウンスイッチ３５Ｄ、アップスイッチ３５Ｃの操作により、それぞれ降順および昇順で設定記憶部３９から設定名およびそれに対応する周波数が読み出される。また、自動調整設定モードでは、ダウンスイッチ３５Ｄまたはアップスイッチ３５Ｃの操作により明るさの自動調整をするか否かを選択することができる。
【００３８】
読み出されたデューティ比は、パルス幅制御装置３６ｃへ出力され、周波数は、周波数制御装置３６ｂへ出力される。そして、周波数制御装置３６ｂの動作によりパルス発生器３６ａで発生するパルス信号の周波数が変更される。そして、パルス発生器３６ａで発生したパルス信号はパルス幅制御装置３６ｃへ出力され、パルス幅制御装置３６ｃでパルス幅が変更された上でＬＣＤドライバ３６ｅへ出力される。
【００３９】
ＬＣＤドライバ３６ｅは、パルス幅制御装置３６ｃから入力されたパルス信号を液晶パネル５２Ｒ，５２Ｌの動作電圧に増幅してそれらへ出力する。
【００４０】
一方で、設定選択部３６ｄで読み出された設定名は、ＬＣＤドライバ３６ｆへ出力され、ＬＣＤドライバ３６ｆにより液晶パネルからなる表示部３８で設定名が表示される。スリープスイッチ３５Ｂは、前記したように、液晶シャッタ眼鏡１の作動中に押されると、設定選択部３６ｄが、現在の設定名を設定記憶部３９に記憶させ、パルス発生器３６ａ、周波数制御装置３６ｂ、パルス幅制御装置３６ｃ、設定選択部３６ｄ、およびＬＣＤドライバ３６ｅ，３６ｆの動作を停止させる。そして、停止状態中に再度スリープスイッチ３５Ｂが押された場合には、記憶していた現在の設定を読み出して、停止前の設定で再度作動を開始させる。なお、メインスイッチ３５Ａにより電源を切った場合には、設定記憶部３９は、変更した設定値をリセットし、次回電源を入れたときにはプリセットされたデューティ比および周波数が読み出されるようになっている。
【００４１】
明るさ調整部３６ｇは、明るさの自動調整が設定されている場合に、センサ３５Ｆから取得された明るさに応じて、明るさが明るいほど透過状態の時間的割合が小さくなるように（つまり、デューティ比が大きくなるように）デューティ比を変更する。変更されたデューティ比は、パルス幅制御装置３６ｃに出力される。明るさの調整は、明るさのしきい値を１つだけ設定記憶部３９に記憶しておいて、センサ３５Ｆから取得された明るさがそのしきい値よりも大きい場合には、デューティ比を２割増しにするなど、２段階であってもよいし、より多くのしきい値を記憶しておいて多段階としてもよい。また、明るさに応じてデューティ比を連続的に変化させてもよい。
【００４２】
以上のように構成された液晶シャッタ眼鏡１の動作について説明する。
使用者は、通常の眼鏡と同様にして液晶シャッタ眼鏡１を頭に装着し、メインスイッチ３５Ａを押して制御基板３１Ａの電源を入れる。制御基板３１Ａは、プリセットされた初期値としてのデューティ比（設定名Ｆ０１）および周波数（設定名００５）を設定記憶部３９から読み出して、周波数制御装置３６ｂとパルス幅制御装置３６ｃに出力する。周波数制御装置３６ｂはパルス発生器３６ａで発生するパルス信号の周波数を変更し、パルス発生器３６ａは、この周波数に従い、パルス信号を発生し、パルス幅制御装置３６ｃに出力する。パルス幅制御装置３６ｃは、パルス幅を変更したパルス信号をＬＣＤドライバ３６ｅに出力する。ＬＣＤドライバ３６ｅは、入力されたパルス信号を液晶パネル５２Ｒ，５２Ｌの動作に適した電圧にして、同じ信号を左右の液晶パネル５２Ｒ，５２Ｌに出力する。また、ＬＣＤドライバ３６ｆは、設定名を表示部３８に表示させる。また、必要に応じて明るさの自動調整を選択する。
【００４３】
これにより、左右の液晶パネル５２Ｒ，５２Ｌは、左右同時に透過状態と透過制限状態との間を周期的に切り換わる、いわば、点滅した状態となる。これにより、液晶シャッタ眼鏡１を装着した人は、物体を所定の周期で断続的に視認して、スポーツの練習をしたり、運動物体の観察、例えば機械の動作をチェックしたりすることができる。なお、左右の液晶パネル５２Ｒ，５２Ｌは独立して制御可能であるので、別途動作モードスイッチを設けて、左の液晶パネル５２Ｌを透過制限状態にしたまま右の液晶パネル５２Ｒのみを点滅させたり、右の液晶パネル５２Ｒを透過制限状態にしたまま左の液晶パネル５２Ｌのみを点滅させたりするようにしてもよい。
【００４４】
使用者が、観察する物体にあわせて非透過状態が占める時間的割合を変更したい場合には、アップスイッチ３５Ｃまたはダウンスイッチ３５Ｄを押す。これにより、設定選択部３６ｄが設定記憶部３９から異なるデューティ比の設定を読み出す。また、使用者が、観察する物体にあわせて、周波数を変更したい場合には、モードスイッチ３５Ｅを押して周波数変更モードにした後、アップスイッチ３５Ｃまたはダウンスイッチ３５Ｄを押す。これにより、設定選択部３６ｄが設定記憶部３９から異なる周波数の設定値を読み出す。これらの読み出された設定値は、設定記憶部３９に記憶される。そして、変更された設定値に基づき、周波数制御装置３６ｂ、パルス発生器３６ａ、パルス幅制御装置３６ｃおよびＬＣＤドライバ３６ｅが動作することで、異なるデューティ比および周波数で左右の液晶パネル５２Ｒ，５２Ｌが点滅する。
【００４５】
このようにして、本実施形態の液晶シャッタ眼鏡１によれば、観察しようとする運動物体の特性にあわせてデューティ比および周波数を変更して液晶パネル５２Ｒ，５２Ｌを点滅させることができる。
【００４６】
このとき、本実施形態の液晶シャッタ眼鏡１は、比較的重量が大きいバッテリ３２Ａと、制御基板３１Ａとが左右のつる２０Ｒ，２０Ｌに分けて配置されているので、左右の重量バランスがよい。
【００４７】
また、本実施形態の液晶シャッタ眼鏡１の液晶パネル５２Ｒ，５２Ｌは、非通電時に透過状態であるため、電源を切っているときには、装着したまま視界を得られるので、装着中に、使用を一時停止したい場合にも、いちいち液晶シャッタ眼鏡１を頭部から外す必要がなく、利便性に優れる。さらに、レンズ本体５１Ｒ，５１Ｌが光を吸収するように構成されたレンズであった場合には、非通電時にサングラスとして使用することができる。
【００４８】
明るさの自動調整が設定されている場合には、液晶シャッタ眼鏡１の使用場所が屋内から屋外に変わった場合や、天候が曇りから晴れに変わった場合など、明るくなった場合には、明るさ調整部３６ｇによりデューティ比が大きく変更される結果、レンズ５０を透過する光量が少なくなる。逆に、液晶シャッタ眼鏡１の使用場所が屋外から屋内に変わった場合や、天候が晴れから曇りに変わった場合など、暗くなった場合には、明るさ調整部３６ｇによりデューティ比が小さく変更される結果、レンズ５０を透過する光量が多くなる。このため、使用者が特に操作しなくても見易さを維持することができる。すなわち、操作の手間を省略することができ、使いやすい。
【００４９】
そして、本実施形態の液晶シャッタ眼鏡１は、フラットな液晶パネル５２Ｒ，５２Ｌを撓ませてレンズ本体の貼着面５１Ｊに貼ることで、レンズ５０Ｒ，５０Ｌが湾曲した形を実現することができる。そして、貼着面５１Ｊは、略上下方向から見て前側に凸となる二次元曲面からなるので、フラットな液晶パネル５２Ｒ，５２Ｌを浮くことなくぴったりと貼り付けることができる。
【００５０】
また、貼着面５１Ｊは、略上下方向から見て前側に凸となる曲面であるので頭部の形状にフィットする。そして、レンズ５０Ｒ，５０Ｌに対して垂直に近い角度で入った光を使用者の目に導くことができるので、歪みの少ない良好な視野を得ることができる。また、液晶パネル５２Ｒ，５２Ｌをレンズ本体５１Ｒ，５１Ｌに貼り付けて構成されているので、液晶パネルだけで構成されている場合に比較して丈夫であり、さらに、液晶パネル５２Ｒ，５２Ｌが可撓性を有することから、運動時に液晶シャッタ眼鏡１を落としたり、ボールが当たったりして衝撃が加わっても液晶パネル５２Ｒ，５２Ｌが割れにくい。すなわち、スポーツのトレーニングに適した、装着感や視野に優れ、丈夫な液晶シャッタ眼鏡とすることができる。
【００５１】
そして、液晶シャッタ眼鏡１は、液晶パネル５２Ｒ，５２Ｌの前側、つまり、外側にレンズ本体５１Ｒ，５１Ｌが位置するので、液晶パネル５２Ｒ，５２Ｌをレンズ本体５１Ｒ，５１Ｌで保護することができる。
【００５２】
さらに、液晶パネル５２Ｒ，５２Ｌは、レンズ本体５１Ｒ，５１Ｌよりも薄いので、液晶パネル５２Ｒ，５２Ｌのスプリングバック力は僅かであり、レンズ５０Ｒ，５０Ｌの歪みを小さくすることができる。そして、貼着面５１Ｊの曲率は全面に渡って一定であるので、液晶パネル５２Ｒ，５２Ｌを曲げたことにより発生するスプリングバック力の分布は均一になり、レンズ本体５１Ｒ，５１Ｌに局部的に力が掛かることによるレンズ５０Ｒ，５０Ｌの歪みを抑制し、また、液晶パネル５２Ｒ，５２Ｌの剥がれを抑制することができる。
【００５３】
また、液晶パネル５２Ｒ，５２Ｌの電極５９Ｒ，５９Ｌは、左右方向内側の端部に設けられ、ブリッジ１２内に配置されているので、電極５９Ｒ，５９Ｌをリム１１Ｒ，１１Ｌに収容する必要が無く、リム１１Ｒ，１１Ｌを薄くしてデザイン性を向上するとともに、広い視野を確保することができる。さらに、電極５９Ｒ，５９Ｌと制御基板３１Ａを繋ぐ配線コード３３Ｂ，３３Ｃを同じ長さとすることができ、製造管理が簡易になるとともに、液晶パネル５２Ｒ，５２Ｌの動作特性を揃えることができる。
【００５４】
以上に本発明の実施形態について説明したが、本発明は、前記した実施形態に限定されることなく適宜変形して実施することができる。
例えば、前記実施形態では、液晶シャッタ眼鏡１のレンズ本体５１Ｒ，５１Ｌを左右別に設け、液晶パネル５２Ｒ，５２Ｌもこれに対応して２枚用いたが、本発明はこれに限定されず、左右のレンズが繋がった１枚レンズとしてもよい。例えば、レンズ本体を１枚のレンズとして、左右別に用意した液晶パネルをこの一枚のレンズ本体に貼り付けてもよい。また、左右の液晶パネルを独立制御する必要が無い場合には、左右の液晶パネルを一枚で構成しても構わない。
【００５５】
前記実施形態においては、レンズ本体５１Ｒ，５１Ｌの後側に液晶パネル５２Ｒ，５２Ｌを配置したが、これを逆にして、レンズ本体５１Ｒ，５１Ｌの前側に液晶パネル５２Ｒ，５２Ｌを配置してもよい。
【符号の説明】
【００５６】
１      液晶シャッタ眼鏡
１０    フレーム本体
１０Ｆ  前フレーム
１０Ｒ  後フレーム
１１Ｒ，１１Ｌ  リム
１２    ブリッジ
１３    パッド
３０    制御装置
３１    基板収納部
３１Ａ  制御基板
３２    バッテリ部
３２Ａ  バッテリ
３３Ａ〜３３Ｃ  配線コード
５０    レンズ
５０Ｒ，５０Ｌ  レンズ
５１Ｊ  貼着面
５１Ｒ  レンズ本体
５２Ｒ，５２Ｌ  液晶パネル
５９Ｒ，５９Ｌ  電極
【図１】
2014203067.tif 000003
【図２】
2014203067.tif 000004
【図３】
2014203067.tif 000005
【図４】
2014203067.tif 000006
【図５】
2014203067.tif 000007
【図６】
2014203067.tif 000008